(57)【要約】【課題】椅子の下などの小スペースに対する取り付け及び高さ調整がいとも簡単に行え、しかも取り付け状態からの落下防止はもとより、落下方向への位置ズレも確実に防止して、重い荷物の支持や、過激なペットの動きなどにも十分に耐えられるようにする。【解決手段】底部５と、底部５の外周部を取り囲んで立ち上がる囲み壁部６と、囲み壁部６の外面に対して周方向に乖離して少なくとも３つが配置された緊締環７とを有し、緊締環７は、帯形状に形成されて支持柱４へ面接触状態に巻き付ける巻回帯７Ａ〜７Ｄが帯幅方向を高さ方向に向けた状態で且つ高さ方向に直線状に形成された結合部を介して囲み壁部６に取り付けられている。【選択図】図１
2018074914.tif 000002
【特許請求の範囲】
【請求項１】
少なくとも３本の支持柱により囲まれた小スペース内で浮き上げ状態に保持させる収容ボックスであって、
底部と、前記底部の外周部を取り囲んで立ち上がる囲み壁部と、前記囲み壁部の外面に対して周方向に乖離して少なくとも３つが配置された緊締環とを有し、
前記緊締環は、帯形状に形成されて前記支持柱へ面接触状態に巻き付ける巻回帯が帯幅方向を高さ方向に向けた状態で且つ高さ方向に直線状に形成された結合部を介して前記囲み壁部に取り付けられている
ことを特徴とする小スペース利用の収容ボックス。
【請求項２】
前記囲み壁部には、上縁部の一部を凹ませることで形成した正面開口部が設けられていることを特徴とする請求項１記載の小スペース利用の収容ボックス。
【発明の詳細な説明】
【技術分野】
【０００１】
本発明は、椅子の下などの小スペースを有効に利用して取り付けることができる小スペース利用の収容ボックスに関する。
【背景技術】
【０００２】
椅子の下へ簡易的なラックを設けて、荷物置きなどとして利用することが提案されている（例えば、特許文献１）。この簡易ラックは、ワイヤーを素材にして形成した長方形状のフレーム本体に対し、その内側に複数本の平行桟を柵状に設けると共に、フレーム本体の四隅には吊りバンド（合計４本）を結合したものとしてある。
この簡易ラックを取り付けるための椅子には、前後の脚の間に水平な支杆（左右で各１本）が架設されたものであることが必要とされている。すなわち、左右の支杆に対して、それぞれ４本の吊りバンドを上広がり状に傾斜させて連結し、これによりフレーム本体を椅子の座面下に略水平に吊り下げるようにする。
【先行技術文献】
【特許文献】
【０００３】
【特許文献１】特開２００５−３３４４０７号公報
【発明の概要】
【発明が解決しようとする課題】
【０００４】
特許文献１等で提案された簡易ラックは、取り付けを可能とされる椅子が、左右の支杆を有するものに限定されてしまうという大きな問題があった。このような構造を有した椅子は稀少種であると言える。
また、４本の吊りバンドはそれらの長さが一義的に固定されていたので、フレーム本体の吊り高さや傾きなどを調節することはできなかった。なお、４本の吊りバンドにおいてバックルなどの使用によって長さ調節機能を持たせることは可能であるが、この場合、１本１本の吊りバンドの長さを、フレーム本体の傾き状態を確認しつつ互いにバランスさせて調整する作業は極めて面倒になる。
【０００５】
本発明は、上記事情に鑑みてなされたものであって、少なくとも３本の支持柱により囲まれた小スペース内（椅子の下など）で浮き上げ状態に保持させる収容ボックスであって、取り付け及び高さ調整がいとも簡単に行え、しかも取り付け状態からの落下防止はもとより、落下方向への位置ズレも確実に防止して、重い荷物の支持などにも十分に耐えられるようにした小スペース利用の収容ボックスを提供することを目的とする。
【０００６】
また、本発明は、取り付け易さや高さ調節の容易さなどを達成し且つ落下や位置ズレに対する高い防止機能を有したうえで、荷物だけでなくペットの隠れ家などとしても有効に利用できるようにした小スペース利用の収容ボックスを提供することを目的とする。
【課題を解決するための手段】
【０００７】
前記目的を達成するために、本発明は次の手段を講じた。
即ち、本発明に係る小スペース利用の収容ボックスは、少なくとも３本の支持柱により囲まれた小スペース内で浮き上げ状態に保持させる収容ボックスであって、底部と、前記底部の外周部を取り囲んで立ち上がる囲み壁部と、前記囲み壁部の外面に対して周方向に乖離して少なくとも３つが配置された緊締環とを有し、前記緊締環は、帯形状に形成されて前記支持柱へ面接触状態に巻き付ける巻回帯が帯幅方向を高さ方向に向けた状態で且つ高さ方向に直線状に形成された結合部を介して前記囲み壁部に取り付けられていることを特徴とする。
【０００８】
前記囲み壁部には、上縁部の一部を凹ませることで形成した正面開口部が設けられたものとしてもよい。
前記緊締環を形成する巻回帯には前記支持柱に面接触する側に滑り止め材が設けられたものとするのが好適である。
【発明の効果】
【０００９】
本発明に係る小スペース利用の収容ボックスでは、椅子の下などの小スペースに対する取り付け及び高さ調整がいとも簡単に行え、しかも取り付け状態からの落下防止はもとより、落下方向への位置ズレも確実に防止して、重い荷物の支持などにも十分に耐えられるようになっている。また、過激なペットの動きなどにも十分に耐えられるので、ペット用隠れ家としても活用できる。
【図面の簡単な説明】
【００１０】
【図１】本発明に係る小スペース利用の収容ボックスを示した斜視図である。
【図２】本発明に係る小スペース利用の収容ボックスを椅子の下などに対して取り付けた状態を示した正面図である。
【図３】図２のＡ−Ａ線断面図である。
【発明を実施するための形態】
【００１１】
以下、本発明の実施の形態を、図面に基づき説明する。
図１乃至図３は、本発明に係る収容ボックス１の第１実施形態を示している。この収容ボックス１は、椅子２の座面３の下などにできる小スペースに対して、椅子２の脚４を利用して簡単に取り付け及び取り外しできるようにしたものである。
なお、この収容ボックス１は、椅子２に限らず、テーブルや机、ラックなどをはじめとする種々様々な家具類（造り付けのものを含む）に対して、それらの下部空間などへ取り付けることも可能であり、小スペースとはこれらを全般的に含めて言うものとする。また小スペースは、その上方が椅子２の座面３などによって覆われていること（下部空間であること）についても、限定されるものではない。
【００１２】
要は、小スペースは椅子２の脚４のように、起立する３本以上の縦方向部材によって囲まれた空間であればよいものとする。これらのことから、以下の説明では脚４を「支持柱４」と言い換えて説明する。
この収容ボックス１は、図１から明らかなように、底部５と、この底部５の外周部を取り囲んで立ち上がる囲み壁部６と、この囲み壁部６の外面に対して周方向（底部５を取り囲む方向に同じ）に乖離して配置された緊締環７とを有している。
【００１３】
底部５は、使用を予定するスペースに応じてこれより小面積とした平板形状に形成されている。底部５の平面形状は本実施形態では正方形状としている。しかしその他にも、三角形、正方形以外の四角形、四角形を超える多角形、円形、長円形、楕円形など、特に限定されるものではない。
また、底部５の形成素材についても特に限定されるものではない。例えば、スポンジやウレタン、ゴムなどの弾性材、ボール紙や段ボール紙などの紙材、樹脂製板、木材、金属製網材等々の素材により形成された板状の芯材に対して、その表裏両面を織布、不織布、樹脂製シート、合成皮革、天然皮革、網材などの表面材で覆ったものとすることができる。
【００１４】
また底部５は、表面材を不使用にして挙例した各種芯材を露出させたままとすることもできる。反対に、芯材を不使用にして挙例した各種表面材のみで底部５を形成することもできる。
なお、底部５は、物品を載せても下方へ沈み込まない程度の強度を有したものとして形成することができる。或いは、底部５は、物品などを載せたことに伴ってある程度、下方へ沈み込むような伸縮性（及び物品を取り除いた後の復元性）を有したものとしてもよい。
【００１５】
底部５が伸縮性及び復元性を有したものとする場合は、底部５上に猫などのペットが乗り込んだときに底部５の沈み込みによってペットのからだが優しく包み込まれるようになるので、ペットにとっては安心感（抱擁感）や保温性などが得られることになり、本発明に係る収容ボックス１をペット用隠れ家や寝床、住み家等として活用することができるようになる。
【００１６】
囲み壁部６は、底部５の外周部に壁下端を接合させた状態で起立している。本実施形態では底部５を正方形状としたので、囲み壁部６は４枚の壁板６Ａ〜６Ｄが連設状態となって形成されたものとした。なお、囲み壁部６は、鉛直方向に起立させるのが好適である。理由は後述する。
これら壁板６Ａ〜６Ｄと底部５とを接合する接合方法や、壁板６Ａ〜６Ｄ同士を接合する接合方法は、素材に応じて適宜選択可能である。例えば最も表面側に織布や皮革などの素材を用いている場合であれば縫製によって接合すればよいし、樹脂シートであれば接着によって接合すればよい。その他、ステープル止めなどを採用することもできる。
【００１７】
囲み壁部６は、底部５の外周部にコーナー部が生じている場合は、それらのコーナー部を挟んで隣接する壁板同士（例えば壁板６Ａと壁板６Ｂ等）が高さ方向の全長にわたって接合される（直線的な縫製や接着が行われる）ことにより、起立用の剛性を保持するようになる。
これに対し、底部５が円形や長円形、楕円形である場合等は、その外周カーブに沿って壁板を湾曲させることにより、起立用の剛性を生じさせればよい。なお、このような場合の囲み壁部６の剛性は、囲み壁部６の起立角度が鉛直であるときに最大となる。
【００１８】
ただ、囲み壁部６は、かならずしも底部５の全周を連続一体的に取り囲むこと（一周していること）が限定されるものではなく、周方向の一部が開放されていてもよい。この場合、壁板を形成する素材自体の剛性（曲げ強度）によって起立用の剛性を生じるものとしてもよい。
この囲み壁部６の形成素材についても特に限定されるものではなく、底部５で説明したのと同じような素材や構造を採用可能である。
【００１９】
本実施形態では、囲み壁部６のうち、使用状態において正面へ向けられる壁板６Ａに、上縁部の一部を凹ませることで形成した正面開口部１０を設けてある。これにより、この収容ボックス１に対する物品の出し入れが容易となる。
この正面開口部１０は、本発明に係る収容ボックス１をペット用隠れ家等として使用する際には、ペットの出入り口として作用する。この場合、正面開口部１０の開口形状や開口大きさをペットの習性に応じて小さめに形成することで、ペットが持つ習性を刺激して、自ら進んで入り込むようにいざなうことができる。
【００２０】
緊締環７は、帯形状に形成された複数の巻回帯７Ａ〜７Ｄが、その帯幅方向を高さ方向に向けた状態で設けられたものである。緊締環７は、使用を予定するスペースにおいて設けられた支持柱４の本数に対応する数を備えている。本実施形態では支持柱４が４本存在するので、緊締環７が設けられる数も４つとしてある。
巻回帯７Ａ〜７Ｄの形成素材は、支持柱４への巻き付けが可能な程度に可撓性を有し、且つ帯長手方向に非伸縮性を有するもの（例えば非伸縮性の糸で織製した織地など）であれば、特に限定されるものではない。
【００２１】
緊締環７は、巻回帯７Ａ〜７Ｄにおける各帯長手方向の中間部を囲み壁部６のコーナー部（例えば壁板６Ａと壁板６Ｂとの接合間等）へ結合して、この結合部から両側方へ帯状に伸び出す部分が生じるような構造としてある。
巻回帯７Ａ〜７Ｄと囲み壁部６との結合部は、高さ方向に直線状に形成されている。この結合部についても縫製や接着等によって行うことができる。
【００２２】
このような緊締環７において、巻回帯７Ａ〜７Ｄの帯長手方向の一端部にはその片側の面に面ファスナの雄面材１２ａが設けられ、帯長手方向の他端部には雄面材１２ａとは表裏逆となる面に面ファスナの雌面材１２ｂが設けられている。雄面材１２ａと雌面材１２ｂとの配置関係は相対的に入れ替え自在なものであり、巻回帯７Ａ〜７Ｄの表裏面との因果関係はない。
【００２３】
このような緊締環７は、巻回帯７Ａ〜７Ｄを支持柱４へ面接触状態に巻き付け、面ファスナの雄面材１２ａと雌面材１２ｂとを重ね合わせるようにして係着させる。このとき、底部５の相反する位置（角形である場合は対角位置）に設けられた緊締環７同士が、底部５を挟んで互いに引っ張りあうような関係となるように雄面材１２ａと雌面材１２ｂとの重ね合わせ量を調節することで、収容ボックス１を支持柱４に取り付けることができる。
【００２４】
緊締環７には、巻回帯７Ａ〜７Ｄにおいて支持柱４に面接触する側に滑り止め材１４を設けておくのが好適である。
この滑り止め材１４は、ホットメルト等の弾性素材をドット状又はメッシュ状に付着配置させることで形成することができる。この他、表面粗さが粗い素材（ウレタンやフエルト等）や吸着性を有する素材（シリコンやゴム等）など、摩擦係数の高い素材により巻回帯７Ａ〜７Ｄの該当面を形成することでも、滑り止め材１４を形成することができる。
【００２５】
なお、本実施形態では、収容ボックス１を正面（正面開口部１０が設けられた面）から見たときに、全ての緊締環７の巻き付け端が後方へ向けられて見えないような配置としてある。このような配置とすることで、巻回帯７Ａ〜７Ｄを支持柱４へ巻き付ける操作が全て正面側から行えることから容易になると共に、正面からの視線によって巻き付け状態が見えにくく、外観を邪魔しないという利点がある。
【００２６】
以上詳説したところから明らかなように、本発明に係る収容ボックス１は、椅子２の下などに生じる小スペースに対して簡単に取り付けることができ、この取り付けにより、物品置きやペットの隠れ家等として頗る便利に使用することができる。
取り付け状態とした収容ボックス１は、緊締環７が囲み壁部６に結合された部位が高さ方向とされており、また緊締環７を形成している巻回帯７Ａ〜７Ｄがそれらの帯幅方向を高さ方向に向けている（高さ方向にある程度の長さを有している）ので、強力な緊締力を発揮して、支持柱４に対して落下したり落下方向へ位置ズレしたりすることが防止される。
【００２７】
なお、支持柱４が鉛直であり、また高さ方向において一定の太さを有している場合であると、緊締環７において支持柱４に巻き付いた面（巻回帯７Ａ〜７Ｄが面接触した面）も鉛直になるため、落下又は落下方向の位置ズレも起きやすいものと錯覚する。
しかし、囲み壁部６の起立角度を鉛直にして、緊締環７と囲み壁部６との結合部位が鉛直になるようにしておけば、この結合部位と緊締環７による支持柱４への巻き付き面とが互いに平行関係となり、これらが底部５を挟んで相対逆向きに引っ張り力を受けるような状況とすることができる。
【００２８】
そのため、テンションが高さ方向で一定に分布するようになり、その結果、支持柱４に対して収容ボックス１が落下したり落下方向へ位置ズレしたりすることは、確実に防止されるものとなる。
ところで、本発明は、前記実施形態に限定されるものではなく、実施の形態に応じて更に適宜変更可能である。
【００２９】
例えば、支持柱４は少なくとも３本あればよく、従って緊締環７についても３つだけ設けるような場合があり得る。
収容ボックス１の用途や使用場所などは何ら限定されない。
収容ボックス１の大きさ、形状、形成素材などは何ら限定されない。
囲み壁部６に設ける正面開口部１０は、囲み壁部１０の上縁部を凹ませることで形成するものの他、囲み壁部１０における高さ方向の範囲内に設けた開口とすることもできる。
【００３０】
囲み壁部６は起立角度を鉛直以外とすることも可能である。
【符号の説明】
【００３１】
１  収容ボックス
２  椅子
３  座面
４  脚（支持柱）
５  底部
６  囲み壁部
６Ａ〜６Ｄ  壁板
７  緊締環
７Ａ〜７Ｄ  巻回帯
１０  正面開口部
１２ａ  雄面材
１２ｂ  雌面材
１４  滑り止め材
【図１】
2018074914.tif 000003
【図２】
2018074914.tif 000004
【図３】
2018074914.tif 000005